(57)【要約】【課題】災害発生時などの緊急を要する際に、住民が簡単に安否情報を登録できるようにする。【解決手段】地図を表示し、地図上から居住地が選択されることで該居住地の住民情報を取得・表示し、該当住民情報が選択されることで安否情報を登録する安否情報入力手段１０、地図情報及び住民情報を記憶し、安否情報入力手段１０へ要求された地図情報、住民情報を送信する住居情報記憶手段３２、安否情報入力手段からの安否情報を記憶する安否情報記憶手段３３、安否未確認情報等を所望送信先へ送信する安否情報送信手段３４、全体の管理、及び安否情報記憶手段３３から安否情報を取得し、安否未確認情報等を安否情報送信手段３４へ送信する管理手段３１を設ける。【選択図】        図１
2004192359.tif 000002
【特許請求の範囲】
【請求項１】
災害発生時などの緊急を要する際に住民の安否情報を登録する安否情報登録システムであって、
地図を表示し、地図上から居住地が選択されることで該居住地の住民情報を取得・表示し、該当住民情報が選択されることで安否情報を登録する安否情報入力手段と、
地図情報及び住民情報を記憶し、前記安否情報入力手段へ要求された地図情報、住民情報を送信する住居情報記憶手段と、
前記安否情報入力手段からの安否情報を記憶する安否情報記憶手段と、
安否情報を所望送信先へ送信する安否情報送信手段と、
前記安否情報記憶手段から安否情報を取得して前記安否情報送信手段へ送信する管理手段と、
を有することを特徴とする安否情報登録システム。
【請求項２】
請求項１記載の安否情報登録システムにおいて、
前記安否情報入力手段は、ＩＣカードを読み込み、該ＩＣカードを元に前記住居情報記憶手段から住民情報を取得する手段を更に有することを特徴とする安否情報登録システム。
【請求項３】
請求項１又は２記載の安否情報登録システムにおいて、
前記住居情報記憶手段は、住民氏名、住所などの住民情報を記憶する住民情報記憶手段と、地図番号、地図などの地図情報を持つ地図情報記憶手段と、住民情報と地図情報とを結びつける手段とを有することを特徴とする安否情報登録システム。
【請求項４】
請求項１又は２記載の安否情報登録システムにおいて、
前記安否情報記憶手段は、あらかじめ登録されている住民情報に、安否確認が取れた住民の安否確認情報と登録場所と合わせて、安否確認が取れた時間を記録することを特徴とする安否情報登録システム。
【請求項５】
請求項１又は２記載の安否情報登録システムにおいて、
前記管理手段は、前記安否情報記憶手段から、一定時間ごとに安否情報を取り出し、該安否情報を前記安否情報送信手段へ送信し、
安否情報送信手段は、前記管理手段からの情報を、あらかじめ登録されている送信先へ送信する、
ことを特徴とする安否情報登録システム。
【請求項６】
請求項１又は２記載の安否情報登録システムにおいて、
前記安否情報入力手段は、地域選択が繰り返されるごとに現在表示している地図よりも縮尺が小さい選択された地域の地図を住居情報記憶手段から取得・表示し、最終的に登録者の住居が表示され、該当する住居が選択されることで、前記住居情報記憶手段から前記選択された居住地の居住者の名前を取得して画面上に表示し、該当する名前が選択することで、登録者の安否情報を登録することを特徴とする安否情報登録システム。
【請求項７】
請求項６記載の安否情報登録システムにおいて、
前記安否情報入力手段は、当該安否情報入力手段が設置されている周辺の地図を前記住居情報記憶手段から取得・表示することからはじめ、最終的に登録者の住居を取得・表示することを特徴とする安否情報登録システム。
【請求項８】
請求項６又は７記載の安否情報登録システムにおいて、
前記安否情報入力手段は、住居選択後に表示される居住者情報の登録者以外の同居人の安否情報を同時に登録する手段と、前記同居人の現在までの安否登録状況を前記安否情報記憶手段から取得し表示する手段とを有することを特徴とする安否情報登録システム。
【請求項９】
請求項２記載の安否情報登録システムにおいて、
前記安否情報入力手段は、ＩＣカードの情報と前記住居情報記憶手段から取得した住民情報を表示する手段と、ＩＣカードの情報を元に特定した登録者の情報から、同居人の情報を前記住居情報記憶手段から得取し、その安否情報を登録する手段と、前記同居人の現在までの安否登録状況を表示する手段とを有することを特徴とする安否情報登録システム。
【請求項１０】
請求項１乃至９のいずれか１項に記載の安否情報登録システムにおいて、
前記管理手段と前記住居情報記憶手段と前記安否情報記憶手段と前記安否情報送信手段とで安否情報登録サーバを構成し、該安否情報登録サーバと通信網を介して、前記安否情報入力手段及び前記受信手段が接続されていることを特徴とする安否情報登録システム。
【請求項１１】
安否情報入力手段と通信網を介して接続され、災害発生時などの緊急を要する際に、住民の安否情報を登録する安否情報登録サーバの処理方法であって、
前記安否情報入力手段から地図情報送信要求を受信すると、あらかじめ地図情報を記憶している地図情報記憶手段から要求された地域の地図情報を読み出して前記安否情報入力手段へ送信するステップと、
前記安否情報入力手段から住民情報送信要求を受信すると、あらかじめ住民情報を記憶している住民情報記憶手段から要求された居住地の住民情報を読み出して前記安否情報入力手段へ送信するステップと、
前記安否情報入力手段から前記住民情報を元に送信される安否情報を安否情報記憶手段に記憶するステップと、
前記安否情報記憶手段に記憶された安否情報を読み出し、通信網を介して所望送信先に送信するステップと、
を有することを特徴とする安否情報登録サーバの処理方法。
【請求項１２】
請求項１１記載の安否情報登録サーバの処理方法において、
前記安否情報入力手段からＩＣカードの情報を受信すると、前記ＩＣカードの情報をもとに前記住民情報記憶手段から該当住民情報を読み出して前記安否情報入力手段へ送信するステップを更に有することを特徴とする安否情報登録サーバの処理方法。
【発明の詳細な説明】
【０００１】
【発明の属する技術分野】
本発明は、災害発生時などの緊急を要する際に、避難先での住民の安否確認を行う際などに好適である安否情報登録システム及びそのサーバの処理方法に関する。
【０００２】
【従来の技術】
従来の端末などを利用して登録作業を行う場合、登録者本人を判別する方法としては、決められたＩＤとパスワード入力する、直接自己の名前を打ち込む、また画面上に表示された登録されている例えばあいうえお順に表示された全名前リストから入力者の名前を探し出し名前を選択する、といったものがある。例えば、家庭からインターネットを楽しむ場合、インターネットサービスプロパーダー（以下ＩＳＰ）へ接続する際に、あらかじめＩＳＰより与えられたＩＤとパスワードを用いて接続する（例えば、特許第３０４６００１号参照）。このような方法は、娯楽や仕事など比較的時間に余裕がある場合には、登録されているユーザを見分ける手段として有効であるといえる。
【０００３】
また、カードを使った方法としてはＩＣカードを用いた電子投票や電子マネーなどで個人の認証が行われている（例えば、特許第３３０９８７４号参照）。ＩＣカードを用いた方法は、カードだけを用いて個人を認証する方法としてすばやくかつカードを差し込むだけで認証が行えるため、個人判別の方法として有効であるといえる。
【０００４】
【特許文献】
特許第３０４６００１号
特許第３３０９８７４号
【０００５】
【発明が解決しようとする課題】
しかし、災害時の避難場所で本人の判別を端末を用いて行う際に上記方法用る場合、次のような問題がある。
まず、緊急時には、迅速な行動が要求されることになる。そして、多くの者が平常心を失っているので、本人判別方法には容易かつ少ない情報を用いるだけで登録できることが重要となる。また緊急時であるので、家庭から必要最低限以上のものを持ち出すことも難しい。さらに、避難場所には様々な年代の方が来る。
【０００６】
しかし、上記に示した方法では、ＩＤ・パスワードは、避難場所にＩＤ・パスワードを記載した紙を持参するか記憶しなければならない、また直接名前を打ち込む場合には正確性が要求されかつ情報機器に不慣れな者にとっては難しい、また表示された多くのリストの中から探す場合、自己の名前を探す手間がかかるなどの問題があり、そして、いずれの場合にも時間を要するという問題がある。
【０００７】
またＩＣカードを家庭から持ってきたとしても、従来のＩＣカードの利用法は、個人ひとりの認証であり、避難場所のように例えば家族のような共通のつながりを持つものが同時に認証する際、ＩＣカードを用いて個々人それぞれが認証を行うとその分時間がかかる。その結果、ＩＣカードの特徴である、カードだけで個人判別をすばやく行えるという点を活かすということができず、円滑な避難活動が行えない。
【０００８】
したがって、上記のような方法でなく、日常的な情報での個人判別、簡単な登録操作、時間がかからない方法、また、数人の情報をまとめて登録できることが重要である。
【０００９】
本発明は、災害発生時などの緊急を要する際に、迅速かつ、簡単に本人の情報または家族の情報等を登録でき、さらにその情報を簡単に管理できる安否情報登録システム及びそのサーバの処理方法を提供することを目的とする。
【００１０】
【課題を解決するための手段】
本発明は、避難場所に安否情報入力手段を設置し、該安否情報入力手段の画面に表示される地図上から登録者が居住する地域周辺を選択することで、その選択地点を中心とした縮尺の小さい地図が表示され、その中からさらに地域を特定していくことで、最終的に表示される住居の中から自宅を選択し、その際表示される名前の中から自己の名前を選択することで安否情報をシステム登録する。または、あらかじめ配布されているＩＣカードを用いることで判別を行い安否情報を登録する。
【００１１】
なお、地図の表示、住民の特定は住居情報記憶手段から情報を取得することで行う。また、トップ画面に表示される地図を安否情報入力手段が設置されている避難場所にあわせ、その地域に限定した地図を表示させることで、住居の特定が１〜２回の、地図上の地域選択操作だけで行うことができる。さらに、居住者の氏名リストを表示させる際に、リストアップされる人物の現在までの安否登録状況を表示させることもできる。
【００１２】
登録されたデータは通信網を通じて、システムの安否情報記憶手段に登録される。管理側では、管理手段が、定期的に安否情報記憶手段の安否情報を確認し、例えば未確認者のリストを作成し、安否情報送信手段へ送る。安否情報送信手段では、あらかじめ管理側で登録した送信先データを引き出し、登録されている先に情報を一斉配信する。
【００１３】
【発明の実施の形態】
以下に、本発明の実施の形態の一例について図面を参照して説明する。
図１は、本発明の一実施形態の安否情報登録システムの全体構成図である。図１において、安否情報入力手段１０は通信網２０を介して安否情報登録サーバ３０に接続されている。安否情報登録サーバ３０は管理手段３１、住居情報記憶手段３２、安否情報記憶手段３３、安否情報送信手段３４、及び、これらを結ぶ通信線や通信網３５で構成され、住居情報記憶手段３２は地図番号、地図などの地図情報を記憶している地図情報記憶手段３２１と住民氏名、住所などの住民情報を記憶している住居情報記憶手段３２２を有している。この安否情報登録サーバ３０は、通信網４０を介して受信手段５０とも接続されている。
【００１４】
災害発生時など、安否情報入力手段１０は住民の避難場所へ設置され、住民は該安否情報入力手段１０を使用して安否情報を安否情報登録サーバ３０へ登録する。安否情報入力手段１０は、パソコンやその他の端末、タッチパネル端末などであるが、これの使用例については後述する。安否情報登録サーバ３０は災害時などに開設される対策本部へ設置される。受信手段６は、災害時などに屋外で作業する者が持つ端末として構成される。安否情報登録サーバ３０は、定期的に住民の安否情報を確認し、例えば未確認のリストを作成して受信手段５０に一斉配信等を行う。
【００１５】
通信網２０、４０はインターネット、イントラネット、ＬＡＮ等で構成される。なお、図１では、通信網２０及び４０は別構成となっているが、ネットワーク構成によっては一方の通信網が他方の通信網を兼ねることも可能である。また、安否情報登録サーバ３０の各手段３１〜３４は、ＬＡＮやイントラネット等の通信網３５で結んで、それぞれ別の場所に設置することも可能である。
【００１６】
図２は本実施形態の地図表示を利用した安否情報登録時の動作概要を示す図である。安否情報入力手段１０は、登録者から入力される動作に従い地図情報の送信要求を住居情報記憶手段３２へ行い（▲１▼）、住居情報記憶手段３２は要求に従い、地図情報記憶手段３２１から地図情報を取得し、安否情報入力手段１へ該地図情報を送信する（▲２▼）。安否情報入力手段１０と住居情報記憶手段３２は、登録者から入力される動作に従い、▲１▼と▲２▼のやり取りを繰り返し、登録者の住居近辺の地図に絞り込んでいく。住居が表示され、登録者が住居の選択をした際は、安否情報入力手段１０は、住居情報記憶手段３２に対して、選択された住居の住民情報の送信を要求する（▲３▼）。住居情報記憶手段３２は要求に従い、住民情報記憶手段３２２から要求された住居の住民情報を取得し、安否情報入力手段１に該住民情報を送信する（▲４▼）。登録者が住居情報記憶手段３２より送られてきた情報の中から、該当する名前を選択すると、安否情報入力手段１０は、その選択された名前等の情報と登録された避難場所の名前を安否情報記憶手段３３へ送信する（▲５▼）。安否情報記憶手段３３は、安否情報入力手段１０から受信した情報と共に現在の時刻をシステムから取得し、それらの情報を安否情報として格納する。
【００１７】
なお、管理手段３１は、図２に示す情報のやりとりの仲立ちを行い、情報の流通を円滑に行う。管理手段３１が安否情報入力手段１０とその設置場所（避難場所）を管理している場合には、該管理手段３１が避難場所情報を安居情報記憶手段３３へ送付してもよい。ただし、安否情報の登録時は管理手段３１を用いない構成でもよい。
【００１８】
図３は本実施形態のＩＣカードを利用した安否情報登録時の動作概要を示す図である。安否情報入力手段１０は、ＩＣカードの情報を読み込み、住居情報記憶手段３２へ送信する（▲１▼）。住居情報記憶手段３２は、安否情報入力手段１０からのＩＣカードの情報を元に、住民情報記憶手段３２２から住民情報を取得し、安否情報入力手段１０へ該住民情報を送信する（▲２▼）。その後は、図２の地図利用の場合と基本的に同様であり、安否情報入力手段１０は、登録者が確認した名前の情報と避難場所の名前等を安否情報記憶手段３３へ送信すると（▲３▼）、安否情報記憶手段３３は、受信した情報に現在時刻等を付加し安否情報として格納する。
【００１９】
図４は安否情報を配信する際の動作概要を示す図である。管理手段３１は、一定時間ごとに例えば１０分間隔で安否情報記憶手段３３へ安否情報送信要求を行う（▲１▼）。安否情報記憶手段３３は、要求された安否情報を管理手段３１へ送信する（▲２▼）。管理手段３１は、受信した安否情報をもとに、住民情報記憶手段３２２を参照して、例えば未確認者だけの名前のリストに加工し、安否情報送信手段３４へ送信する（▲３▼）。安否情報送信手段３４は、あらかじめ管理手段３１から登録された送信先を確認し、受信した情報を、その送信先へ一斉送信する（▲４▼）。受信手段５０では、例えば電子メールを使い情報が送信された場合は、受信手段として例えば携帯端末を用いて情報を受信し、受信した情報を基に避難活動補助などの作業にあたる。
【００２０】
図５は、安否情報の登録を地図を用いて行う全体的な処理の流れの一例を示す図である。
安否情報入力手段１０は、地図情報の送信要求を住居情報記憶手段３２へ行う（１０１）。住居情報記憶手段３２は、地図情報の送信要求を受信すると（１２１）、地図情報記憶手段３２１から要求された地図情報を取り出し（１２２）、安否情報入力手段１０に該地図情報を送信する（１２３）。安否情報入力手段１０は、表示画面に地図を表示する（１０２）。ステップ１５１で登録者は、表示された地図から居住地域の場所を選択する。
【００２１】
安否情報入力手段１０は、登録者の選択動作に従い再び地図情報の送信要求を住居情報記憶手段３２へ行い（１０３）、住居情報記憶手段３２は、該要求を受信し（１２４）、地図情報記憶手段３２１から、上記選択された場所を中心とした現在表示されている地図よりも縮尺が小さい要求された地図情報を取り出し（１２５）、安否情報入力手段１０へ送信する（１２６）。この結果、安否情報入力手段１０では、選択された地域の地図で、ステップ１０２で表示した地図よりも縮尺が小さい地図の地図情報が受信される（１０４）。安否情報入力手段１０では、取得された地図が住居を表示している地図かどうかを判断し（１０５）、住居が表示されていない場合は、ステップ１０２に戻り、ステップ１０５で住居が表示されている地図と判断されるまで、上記動作を繰り返す。
【００２２】
安否情報入力手段１０は、ステップ１０５で住居が表示されている地図と判断された場合は、その地図を画面に表示する（１０６）。そして、ステップ１５２で登録者が、表示された地図から登録者の住居を選択することで、安否情報入力手段１０は、住居情報記憶手段３２に対し、選択された住居の住民情報の送信を要求する（１０７）。住居情報記憶手段３２は、住民情報の送信要求を受信すると（１２７）、要求された住居の住民情報を住民情報記憶手段３２２から取り出し（１２８）、安否情報入力手段１０へ送信する（１２９）。安否情報入力手段１０は、表示画面に住居の住民リストを表示する（１０８）。なお、住民リストの取得の方法については、あとで図１１において具体例を説明する。
【００２３】
安否情報入力手段１０は、ステップ１５３で登録者がリストから氏名を選択すると、選択された氏名の人物の安否情報を安否情報記憶手段３３へ送信する（１０９）。住居情報記憶手段３３は、安否情報入力手段１０から安否情報を受信すると（１３０）、それに現在の時刻等を付加して格納する（１３１）。
【００２４】
図６は図５で行った安否情報登録システムへの安否情報登録の際に、同居人の安否を同時に登録する方法、および同居している人物の安否情報を表示する場合の処理の流れを示す。なお、図５では、安否情報登録サーバ３０側の住居情報記憶手段３２、安否情報記憶手段３３の処理は省略してある。
【００２５】
図６において、ステップ１０１からステップ１０６までは図５の流れと同じである。ステップ１５２で登録者が住居を選択した時、安否情報入力手段１０では、選択された住居の住民リストと共に、現在までに登録されている選択された住居の住民リストの住民の安否情報を、住居情報記憶手段３２および安否情報記憶手段３３から取得し（２０１）、画面に表示する（２０２）。ステップ２５１で登録者が、登録する住人の氏名を一人もしくは複数人選択し、安否情報入力手段１０は、選択されたこれら情報を安否情報記憶手段３３へ送信する（２０３）。
【００２６】
図７は、ＩＣカードを用いて安否情報を登録する際の全体的な処理の流れの一例を示す。  ステップ３５１において、登録者がＩＣカードを安否情報入力手段１０の読み込み部分へ持っていく。安否情報入力手段１０は、読み込まれたＩＣカードの情報を住居情報記憶手段３２に送信する（３０１）。住居情報記憶手段３２は、ＩＣカード情報を受信すると（３２１）、該ＩＣカード情報を元に住民情報記憶手段３２２から住民情報を読み出し（３２２）、安否情報入力手段１０に該住民情報を送信する（３２３）。
【００２７】
安否情報入力手段１０は、住居情報記憶手段３２から住民情報を受信し（３０２）、ＩＣカードに記録されているデータと受信した住民情報から登録者を特定する（３０３）。そして、安否情報入力手段１０は、登録者の情報が正しいかどうか確認する画面を表示し（３０４）、正しい場合は、安否情報記憶手段３３へ登録者の安否情報を送信する（３０５）。安否情報記憶手段３３は、登録者の安否情報を受信し（３２４）、それに現在の時刻等を付加して格納する（３２５）。一方、ステップ３０４において、情報が正しくない場合は、他の方法、例えば、図５に示した方法で登録する（３０８）。
【００２８】
安否情報入力手段１０は、引き続き登録を行うか確認をとり（３０６）、続ける場合は、更に登録者の情報の例えば住居番号を基に、同居人の氏名を住民情報から取得・表示する（３０７）。ステップ３５２において、登録者が登録したい氏名を表示されたリストから選択すると、安否情報入力手段１０は、ステップ３０５に戻り同居人の安否情報を安否情報記憶手段３３へ送信する。安否情報記憶手段３３は、同居人の安否情報を受信すると（３２４）、先の登録者と関連付けて格納する（３２５）。
【００２９】
一方、安否情報入力手段１０は、ステップ３０６において、これ以上登録を続行しないことが確認されたなら安否情報の登録を終了する。
【００３０】
図８は、安否情報を屋外作業者等へ一斉送信する際の処理の流れを示す。
管理手段３１は、一定時間ごとに、例えば１０分おきに安否情報記憶手段３３へアクセスして安否情報を引き出し（４０１）、住民情報記憶手段３２２に既に登録されている住民情報を参照して、例えば安否未確認者の情報をリストアップする（４０２）。そして、その安否未確認者の情報を安否情報送信手段３４に送信する（４０３）。
【００３１】
安否情報送信手段３４は、一定時間ごとに、管理手段３１より安否未確認者の情報を受け取る（５０１）。そして、あらかじめ管理者によって登録された連絡先、例えばメールアドレスを引き出し（５０２）、登録された送信先へ、安否未確認者の情報を一斉に送信する（５０３）。
【００３２】
図９は安否情報を安否情報入力手段１０から安否情報記手段３３に送信・登録する詳細な処理の流れを示す。安否情報入力手段１０は、登録者が安否情報の入力を完了すると（６０１）、登録された氏名と登録された避難場所等の情報を安否情報記憶手段３３へ送信する（６０２）。安否情報記憶手段３３は、安否情報入力手段１０から送られてくる情報を受信し（６０３）、システムより現在の時刻を取得する（６０４）。そして、受信した氏名、登録避難場所、および取得した現在時刻を記録する（６０５）。
【００３３】
なお、安否情報入力手段１０は一般に複数設置される。安否情報記憶手段３３は、各安否情報入力手段１０から送られてくる安否情報を時々刻々記録できる構成とする。また、管理手段３１が安否情報入力手段１０のＩＤとその設置場所（避難場所）との対応を管理している場合には、安否情報記憶手段３３は管理手段３１から避難場所情報を取得することもできる。
【００３４】
図１０は、安否情報入力手段１０において、地図から安否情報を登録する際に、一回もしくは二回等の少ない回数の選択動作で住居を表示させる処理フローの一例を示す。
安否情報入力手段１０にあらかじめ、個々にＩＤを割り振っておく。管理手段３１側では、安否情報入力手段ＩＤと設置されている場所を記録したデータを保持しているとする。安否情報入力手段１０が起動後、管理手段３１ヘアクセスを行う。その際、起動した安否情報入力手段１０は、管理手段２に対し、自己のＩＤを送信する（７０１）。管理手段３１では、安否情報入力手段１０のＩＤを受信し（７０２）、そのＩＤを基に設置場所（避難場所）を検索し（７０３）、その設置場所情報を基に、地図情報記憶手段３２１から安否情報入力手段１０が設置されている場所（避難場所）を中心とした、例えば学校区域が表示されている程度の縮尺の地図情報を読み出す（７０４）。ここで用いる設置場所を示すデータは、例えば住所もしくは住居番号のようなＩＤでよい。管理手段３１は、読み出した地図情報を安否情報入力手段１０へ送信する（７０５）。安否情報記憶手段１０は、地図情報を受信し（７０６）、該地図を画面に表示する（７０７）。避難場所に避難している人々は、その避難場所を中心とした地域の人々であるので、画面上に表示される地図は、ほぼ避難者の住居が含まれる地域の地図である。そのため、登録者が地図選択を行い住居を表示させるまでの時間を短縮することができる。なお、図１０の管理手段３１の処理は住居情報記憶手段３２が受け持ってもよい。
【００３５】
図１１は、表示画面の地図上で選択された住居の住民リストを表示する処理フローの一例である。
あらかじめ地図上の住居などの建物に個々のＩＤを割り振り、地図情報記憶手段３２１に記録しておく。また、住民情報記憶手段３２２の住民一人一人にも、地図上の個々の住民の住居に割り振られた住居番号と同じ番号を割り振る。
【００３６】
安否情報入力手段１０は、登録者が地図上の住居を選択した場合、その割り振られた住居番号を確定し（８０１）、住居番号の送信と住民情報の要求を住居情報記憶手段３２へ送信する（８０２）。住居情報記憶手段３２は住居番号及び住民情報要求を受信し（８０３）、住民情報記憶手段３２２をアクセスして、住居番号を使い、住民をリストアップする（８０４）。このリストアップされた住民情報（住民リスト）を安否情報入力手段１０へ送信する（８０５）。安否情報入力手段１０は、住民リストを受信し（８０６）、画面上に取得した住民氏名を表示する。
【００３７】
図１２は、住民を選択した際に、同居人の現在までの安否情報を表示する処理フローの一例である。
安否情報入力手段１０は、登録者が選択した住居に割り振られた住居番号を確定し（９０１）、住居番号の送信と安否情報の要求を安否情報記憶手段３３へ送信する（９０２）。このとき、ステップ９０２と同時に、図１１で述べたステップ８０２からステップ８０６までが並行して行われる。安否情報記憶手段３３は、住居番号及び安否情報要求を受信し（９０３）、受信した住居番号を使い、住民の安否情報をリストアップする（９０４）。このリストアップされた安否情報を安否情報入力手段１０へ送信する（９０５）。安否情報入力手段１０は、リストアップされた安否情報を受信する（９０６）。この際、並行して行われた図１１のステップ８０６で受信したデータとステップ９０６で受信したデータを合わせて、画面上に取得した住民氏名と同時に安否情報を表示する（９０７）。
【００３８】
なお、この例の場合、住民情報記憶手段３２２の一部もしくはすべてを安否情報記憶手段３３が兼ねることも可能である。
【００３９】
以下に、本安否情報登録システムの具体的な適用例について説明する。
<適用例１>
安否情報入力手段１０は、例えば端末を地域の公民館など、避難所に指定されている場所に、一般に複数台設置する。また、安否情報登録サーバ３０は、例えば災害発生時に対策本部が置かれる施設に設置する。このとき、設置される安否情報入力手段１０の端末としては、ネットワークに接続可能な、タッチパネルを持った入力端末を使うことで実現できるが、パソコンや他の端末を用いて行うことも可能である。
【００４０】
災害発生時に、住民は自主的もしくは行政からの避難命令により避難所へ避難を行う。その際、安否情報入力手段１０によって、無事に避難を完了したことを安否情報登録サーバ３０に登録する。事前に配布されているＩＣカードを持参している場合は、そのＩＣカードの安否情報登録端末に挿入することで安否情報が登録される。しかし、避難の際は急を要するため、必要最小限のもの以外持ち合わせていないと考えられる。その際は、地図上から居住地を選択することで、スムーズに登録を行うことができる。
【００４１】
安否情報は安否情報記憶手段３３に登録される。災害対策本部に設置された管理手段（管理端末）３１では、一定時間たとえば１０分おきに安否情報記憶手段３３にアクセスし、安否情報を入手し、さらに、安否情報の未登録者のリストを作成する。その情報はあらかじめ行政によって登録されている、災害発生時に災害現場の点検や、避難者の世話をする行政職員などに一斉送信される。送信は情報ハイウェイなどの行政設備、また通信事業者が提供する有線・無線回線を利用して行われる。行政職員は、情報を携帯端末やパソコンの受信手段５０で受信し、受信した安否情報を確認しながら救助活動等を行う。
【００４２】
<適用例２>
例えば、上記の適用例１で避難場所を小学校とし、安否情報入力手段１０は、小学校の学区内の地図をタッチパネルに表示する。
【００４３】
避難場所へ、例えばその小学校の区域内に住む家族が家族一同で避難を行った場合をあげる。避難場所では同時期に避難者が多く来るため、避難者の確認を行う行政側も、処理が追いつかない状態が考えられる。その際、設置されている安否情報入力手段１０にタッチパネル端末を使用する。特に複雑な操作はないため、簡単な説明を読めば後は簡単に換作できる。端末の画面には家族が住む地域の地図が表示されている。そのため少ない回数の地図選択だけで、自宅を見つけることができる。また、このとき家族で避難しているため、家族の情報を同時に登録することができ、時間をとることなく行え、他の避難者へ登録端末を譲ることができる。
【００４４】
また、この端末はパソコンのような概観ではなく、また文字を打ち込んで使用するものでもない。特に複雑な操作はないため、簡単な説明を読めば後は操作できる。したがって、日常、情報機器に慣れていない、例えばお年寄りでも、簡単に操作することができ、自分の子供と同居しておらず家族が年配者だけの場合もパソコンなどに比べると、簡単に安否情報を登録することができる。
【００４５】
なお、図１で示した安否情報登録サーバにおける各手段の一部もしくは全部の処理機能をコンピュータのプログラムで構成し、そのプログラムをコンピュータを用いて実行して本発明を実現することができること、あるいは、図５や図７などで示したサーバの処理手順をコンピュータのプログラムで構成し、そのプログラムをコンピュータに実行させることができることは言うまでもない。また、コンピュータでその処理機能を実現するためのプログラム、あるいは、コンピュータにその処理手順を実行させるためのプログラムを、そのコンピュータが読み取り可能な記録媒体、例えば、ＦＤや、ＭＯ、ＲＯＭ、メモリカード、ＣＤ、ＤＶＤ、リムーバブルディスクなどに記録して、保存したり、提供したりすることができるとともに、インターネット等のネットワークを通してそのプログラムを配布したりすることが可能である。
【００４６】
【発明の効果】
本発明によれば、災害発生時等において、避難者の迅速かつ簡単に安否確認が行え、登録された安否情報をもとに、未確認者の捜索が行うことができる。地震や火山による災害の多いわが国においては、多くの避難者の手助けとなる。
【図面の簡単な説明】
【図１】本発明の−実施形態の安否情報登録システムの全体構成を示す図である。
【図２】図１のシステムの地図を利用して安否情報を登録する際の動作概要を示す図である。
【図３】図１のシステムのＩＣカードを利用して安否情報を登録する際の動作概要を示す図である。
【図４】図１のシステムの安否情報を一斉送信する際の動作概要を示す図である。
【図５】安否情報の登録を地図を用いて行う全体的な処理の流れを示す図である。
【図６】安否情報登録の際に、同居人を一緒に登録する処理及び同居している人物の安否情報を表示する処理の流れを示す図である。
【図７】登録者安否情報の登録をＩＣカードを利用して行う場合の全体的な処理の流れを示す図である。
【図８】安否情報を一斉送信する際の処理の流れを示す図である。
【図９】安否情報記憶手段が安否情報入力手段から送信された安否情報を登録する際の処理の流れを示す図である。
【図１０】安否情報入力手段で地図から安否情報を登録する際に少ない回数で住居を表示させる際の処理の流れを示す図である。
【図１１】安否情報入力手段の画面の住居を選択した際に、住民情報を表示する際の処理の流れを示す図である。
【図１２】安否情報入力手段の画面の住居を選択した際に、住居人安否情報を表示する際の処理を流れを示す図である。
【符号の説明】
１０  安否情報入力手段
２０、４０  通信網
３０  安否情報登録サーバ
３１  管理手段
３２  住居情報記憶手段
３２１  地図情報記憶手段
３２２  住民情報記憶手段
３３  安否情報記憶手段
３４  安否情報送信手段
５０  受信手段
【図１】
2004192359.tif 000003
【図２】
2004192359.tif 000004
【図３】
2004192359.tif 000005
【図４】
2004192359.tif 000006
【図５】
2004192359.tif 000007
【図６】
2004192359.tif 000008
【図７】
2004192359.tif 000009
【図８】
2004192359.tif 000010
【図９】
2004192359.tif 000011
【図１０】
2004192359.tif 000012
【図１１】
2004192359.tif 000013
【図１２】
2004192359.tif 000014